【手続補正書】
【提出日】平成29年4月7日(2017.4.7)
【手続補正１】
【補正対象書類名】特許請求の範囲
【補正対象項目名】全文
【補正方法】変更
【補正の内容】
【特許請求の範囲】
【請求項１】
オブジェクトがテンプレートに配置されたレイアウト画像を表示するプログラムであって、
ユーザによる所定の指示に応じて、複数のテンプレートのそれぞれにおいて画像オブジェクトを自動的に配置する配置工程と、
前記配置工程における配置に基づいて生成された複数のレイアウト画像のうちの所定のレイアウト画像のレイアウト結果を示す選択画像を表示する第１の表示工程と、
前記第１の表示工程において表示された前記選択画像が前記ユーザにより選択された場合に、前記所定のレイアウト画像に配置されたオブジェクトに関する編集が可能な画面を表示する第２の表示工程と、
前記第２の表示工程において表示された画面において編集が実行されたオブジェクトが配置されたレイアウト画像を生成する生成工程と、
をコンピュータに実行させ、
前記所定のレイアウト画像に配置されるタイトルが前記ユーザにより入力された場合、前記第１の表示工程では、前記タイトルを含む前記選択画像と、前記タイトルをともに表示し、前記第２の表示工程では、前記選択画像が選択された場合、前記編集として前記タイトルの編集が可能な画面を表示することを特徴とするプログラム。
【請求項２】
前記所定の指示としての第１の指示と第２の指示が実行された場合、前記第１の表示工程では、前記所定のレイアウト画像としての第１のレイアウト画像に対応する第１の選択画像と、前記所定のレイアウト画像としての第２のレイアウト画像に対応する第２の選択画像とを表示し、
前記第１の選択画像または前記第２の選択画像がユーザにより選択された場合、前記第２の表示工程では、前記第１のレイアウト画像と前記第２のレイアウト画像のうちの、ユーザにより選択された選択画像に対応するレイアウト画像に配置されたオブジェクトに関する編集が可能な画面を表示することを特徴とする請求項１に記載のプログラム。
【請求項３】
前記配置工程では、所定の配置条件に従って、ユーザによる配置位置の指示がなくても、画像オブジェクトを前記複数のテンプレートのそれぞれにおける所定の配置位置に配置することを特徴とする請求項１または２に記載のプログラム。
【請求項４】
前記配置工程では、所定の配置条件に従って、ユーザによる配置サイズの指示がなくても、画像オブジェクトを所定の配置サイズで前記複数のテンプレートのそれぞれに配置することを特徴とする請求項１または２に記載のプログラム。
【請求項５】
前記所定の配置条件は、前記複数のテンプレートのそれぞれに対応するレイアウト情報において設定されている条件であることを特徴とする請求項３または４に記載のプログラム。
【請求項６】
前記第２の表示工程で表示される画面では、前記編集として、前記所定のレイアウト画像に含まれていた第１の画像オブジェクトに対するユーザによるドラッグ操作により、前記第１の画像オブジェクトと前記所定のレイアウト画像に含まれていた第２の画像オブジェクトとの配置順序の変更が可能であり、
前記生成工程では、前記第１の画像オブジェクトと前記第２の画像オブジェクトを含み、且つ前記所定のレイアウト画像とは前記第１の画像オブジェクトと前記第２の画像オブジェクトの配置順序が異なるレイアウト画像を生成可能であることを特徴とする請求項１乃至５のいずれか１項に記載のプログラム。
【請求項７】
前記所定のレイアウト画像を表示する第３の表示工程を前記コンピュータに実行させることを特徴とする請求項１乃至６のいずれか１項に記載のプログラム。
【請求項８】
前記第３の表示工程では、前記複数のレイアウト画像を一覧表示し、さらに、一覧表示された前記複数のレイアウト画像のうちの、ユーザにより選択された前記所定のレイアウト画像を、オブジェクトに関する編集が可能なように表示する請求項７に記載のプログラム。
【請求項９】
前記第３の表示工程では、前記第１の表示工程において表示された前記選択画像が前記ユーザにより選択された場合に、前記所定のレイアウト画像を表示することを特徴とする請求項７または８に記載のプログラム。
【請求項１０】
前記第３の表示工程では、前記所定のレイアウト画像に含まれていたオブジェクトを前記所定のレイアウト画像に用いられていたテンプレートに配置することで、前記所定のレイアウト画像を表示することを特徴とする請求項９に記載のプログラム。
【請求項１１】
前記所定のレイアウト画像に配置されていたオブジェクトを特定するためのオブジェクト情報をメモリに記憶する記憶工程をさらに前記コンピュータに実行させ、
前記第３の表示工程では、前記記憶工程において前記メモリに記憶された前記オブジェクト情報により特定されるオブジェクトを配置することで、前記所定のレイアウト画像を表示することを特徴とする請求項１０に記載のプログラム。
【請求項１２】
前記記憶工程では、前記オブジェクト情報と、前記所定のレイアウト画像に用いられたテンプレートを特定するためのテンプレート情報を前記メモリに記憶し、
前記第３の表示工程では、前記メモリに記憶された前記オブジェクト情報により特定されるオブジェクトを、前記テンプレート情報により特定されるテンプレートに配置することを特徴とする請求項１１に記載のプログラム。
【請求項１３】
前記記憶工程では、前記オブジェクト情報と、前記選択画像とを対応づけて前記メモリに記憶し、
前記第３の表示工程では、ユーザにより前記選択画像が選択された場合、前記選択画像に対応づけられて前記メモリに記憶されている前記オブジェクト情報により特定されるオブジェクトを配置することを特徴とする請求項１１または１２に記載のプログラム。
【請求項１４】
前記第３の表示工程では、前記配置工程における配置が実行された後であって且つ前記第１の表示工程における前記選択画像の表示の前に、前記所定のレイアウト画像を表示することを特徴とする請求項７に記載のプログラム。
【請求項１５】
前記第３の表示工程では、前記配置工程における配置が実行された後であって且つ前記第１の表示工程における前記選択画像の表示の前に、前記複数のレイアウト画像に含まれる他のレイアウト画像とともに前記所定のレイアウト画像を表示することを特徴とする請求項１４に記載のプログラム。
【請求項１６】
前記第３の表示工程における表示の前に、前記ユーザによるタイトルの入力を受け付ける受付工程を前記コンピュータにさらに実行させ、
前記第３の表示工程では、前記入力工程において受け付けられた前記ユーザにより入力された前記タイトルを含む前記所定のレイアウト画像を表示することを特徴とする請求項１５に記載のプログラム。
【請求項１７】
前記配置工程では、前記複数のテンプレートのそれぞれにおいて、前記画像オブジェクトと前記タイトルを自動的に配置することを特徴とする請求項１６に記載のプログラム。
【請求項１８】
前記所定のレイアウト画像は、前記複数のレイアウト画像の所定の順序において先頭のレイアウト画像であることを特徴とする請求項１乃至１７のいずれか１項に記載のプログラム。
【請求項１９】
前記第１の表示工程では、前記選択画像の中と前記選択画像の外において、前記ユーザにより入力された同一の文字列である前記タイトルが示されるように、前記選択画像と前記タイトルとを表示することを特徴とする請求項１乃至１８のいずれか１項に記載のプログラム。
【請求項２０】
オブジェクトがテンプレートに配置されたレイアウト画像を表示する情報処理装置であって、
ユーザによる所定の指示に応じて、複数のテンプレートのそれぞれにおいて画像オブジェクトを自動的に配置する配置手段と、
前記配置手段による配置に基づいて生成された複数のレイアウト画像のうちの所定のレイアウト画像のレイアウト結果を示す選択画像を表示装置に表示する第１の表示制御手段と、
前記第１の表示制御手段により表示された前記選択画像が前記ユーザにより選択された場合に、前記所定のレイアウト画像に配置されたオブジェクトに関する編集が可能な画面を前記表示画面に表示する第２の表示制御手段と、
前記第２の表示制御手段により表示された画面において編集が実行されたオブジェクトが配置されたレイアウト画像を生成する生成手段と、
を有し、
前記所定のレイアウト画像に配置されるタイトルが前記ユーザにより入力された場合、前記第１の表示制御手段は、前記タイトルを含む前記選択画像と、前記タイトルをともに表示し、前記第２の表示制御手段は、前記選択画像が選択された場合、前記編集として前記タイトルの編集が可能な画面を表示することを特徴とする情報処理装置。
【請求項２１】
オブジェクトがテンプレートに配置されたレイアウト画像を表示する情報処理装置の制御方法であって、
ユーザによる所定の指示に応じて、複数のテンプレートのそれぞれにおいて画像オブジェクトを自動的に配置する配置工程と、
前記配置工程における配置に基づいて生成された複数のレイアウト画像のうちの所定のレイアウト画像のレイアウト結果を示す選択画像を表示する第１の表示工程と、
前記第１の表示工程において表示された前記選択画像が前記ユーザにより選択された場合に、前記所定のレイアウト画像に配置されたオブジェクトに関する編集が可能な画面を表示する第２の表示工程と、
前記第２の表示工程において表示された画面において編集が実行されたオブジェクトが配置されたレイアウト画像を生成する生成工程と、
を有し、
前記所定のレイアウト画像に配置されるタイトルが前記ユーザにより入力された場合、前記第１の表示工程では、前記タイトルを含む前記選択画像と、前記タイトルをともに表示し、前記第２の表示工程では、前記選択画像が選択された場合、前記編集として前記タイトルの編集が可能な画面を表示することを特徴とする制御方法。
【手続補正２】
【補正対象書類名】明細書
【補正対象項目名】００１０
【補正方法】変更
【補正の内容】
【００１０】
上記課題を解決するため、本発明に係るプログラムは、オブジェクトがテンプレートに配置されたレイアウト画像を表示するプログラムであって、ユーザによる所定の指示に応じて、複数のテンプレートのそれぞれにおいて画像オブジェクトを自動的に配置する配置工程と、前記配置工程における配置に基づいて生成された複数のレイアウト画像のうちの所定のレイアウト画像のレイアウト結果を示す選択画像を表示する第１の表示工程と、前記第１の表示工程において表示された前記選択画像が前記ユーザにより選択された場合に、前記所定のレイアウト画像に配置されたオブジェクトに関する編集が可能な画面を表示する第２の表示工程と、前記第２の表示工程において表示された画面において編集が実行されたオブジェクトが配置されたレイアウト画像を生成する生成工程と、をコンピュータに実行させ、前記所定のレイアウト画像に配置されるタイトルが前記ユーザにより入力された場合、前記第１の表示工程では、前記タイトルを含む前記選択画像と、前記タイトルをともに表示し、前記第２の表示工程では、前記選択画像が選択された場合、前記編集として前記タイトルの編集が可能な画面を表示することを特徴とする。